(57)【要約】【課題】ユーザーの頭部の異なる部位をボリュームアップさせ、髪型のスタイルチェンジを楽しむことができる部分ウィッグを提供する。【解決手段】部分ウィッグ１は、ベース部材１１と、ベース部材１１に結合されたフレーム部材１２と、ベース部材１１に植設された毛髪１３とを含み、ベース部材１１は、ユーザーの頭部の一部を覆う面積のネット又は人工皮膚からなり、部分ウィッグ１の一端から他端に達する長手方向の幅ＬＷを有するとともに、短手方向の幅ＳＷが全体的又は部分的に異なる特殊形状の輪郭を有し、部分的な面積の相違により、長手方向の少なくとも一部に植設された毛髪１３の量が多く、フレーム部材１２は、単一の輪状又は複数の弧状の部材からなり、ベース部材１１に結合されることにより、部分ウィッグ１の外縁の全部又は部分を形成するとともに、ベース部材１１の特殊形状の輪郭との間に、ユーザーの自毛を引き出すための開口部１４を形成する構成となっている。【選択図】図１
2018003213.tif 000002
【特許請求の範囲】
【請求項１】
ユーザーの自毛を部分的にボリュームアップするための部分ウィッグであって、
ベース部材と、前記ベース部材に結合されたフレーム部材と、前記ベース部材に植設された毛髪とを含み、
前記ベース部材は、前記ユーザーの頭部の一部を覆う面積のネット又は人工皮膚からなり、前記部分ウィッグの一端から他端に達する長手方向の幅を有するとともに、短手方向の幅が全体的又は部分的に異なる特殊形状の輪郭を有し、部分的な面積の相違により、長手方向の少なくとも一部に植設された前記毛髪の量が多く、
前記フレーム部材は、単一の輪状又は複数の弧状の部材からなり、前記ベース部材に結合されることにより、前記部分ウィッグの外縁の全部又は部分を形成するとともに、前記ベース部材の特殊形状の輪郭との間に、前記ユーザーの自毛を引き出すための開口部を形成する、ことを特徴とする部分ウィッグ。
【請求項２】
前記ベース部材の長手方向における一端側及び他端側の面積が、中央の面積よりも広く、一端側及び他端側に植設された前記毛髪の量が、中央に植設された前記毛髪の量よりも多い、請求項１に記載の部分ウィッグ。
【請求項３】
前記ベース部材の長手方向における一端側の面積が、他端側の面積よりも広く、一端側に植設された前記毛髪の量が、他端側に植設された前記毛髪の量よりも多い、請求項１に記載の部分ウィッグ。
【請求項４】
前記ベース部材の長手方向における中央の面積が、一端側及び他端側の面積よりも広く、中央に植設された前記毛髪の量が、一端側及び他端側に植設された前記毛髪の量よりも多い、請求項１に記載の部分ウィッグ。
【請求項５】
請求項１〜４のいずれか１項に記載した部分ウィッグの使用方法であって、
前記部分ウィッグをその外縁の方向に回転させることにより、前記ベース部材における植設された前記毛髪の量の多い部分を、前記ユーザーの頭部における前部、天頂部、後部、左側部又は右側部のうちの少なくとも一つに対応させる、
ことを特徴とする部分ウィッグの使用方法。
【発明の詳細な説明】
【技術分野】
【０００１】
本発明は、毛髪を部分的にボリュームアップするための部分ウィッグ及びその使用方法に関する。
【背景技術】
【０００２】
近年、女性の間でウィッグの人気が高まりつつある。ウィッグは、薄毛を隠すための実用的なかつらとは異なり、例えば、毛髪を部分的にボリュームアップしたり、白髪を隠したり、又は白髪を生かしたりして、美しいヘアスタイルを形成するために用いられる。ウィッグには、ユーザーの頭部全体を覆うオールウィッグと、ユーザーの頭部の一部に装着される部分ウィッグとがある。
【０００３】
例えば、特開２０１４−７４２６２号公報（特許文献１）の図２には、ベース本体１０の外縁に、迷彩ネット２０と線状部材４０とが設けられた構成のウィッグ用ベース１が開示されている。ベース本体１０は、ユーザーの頭部に合う湾曲形状を有する。迷彩ネット２０は、ベース本体１０の外縁を越えて外方に突出する。線状部材４０は、線状部材固定用シート３０を介して、迷彩ネット２０の上に固定されている。迷彩ネット２０及び線状部材４０は、ウィッグ用ベース１の端縁に植設された擬毛と、頭部に残存する自毛との境界部を自然に見せる。
【０００４】
また、特開平８−１５８１３０号公報（特許文献２）の図１には、表面１１に向かって湾曲した人工皮膚１に、所定の長さの毛材２を植毛した構成の部分かつら素材Ｗが開示されている。人工皮膚１の周縁４より外側は、人工皮膚１をユーザーの頭部となじませるための密着部３となっている。密着部３に植設された毛材２の密度は、人工皮膚１の周縁４より内側に植毛された毛材２の密度よりも高い。これにより、部分かつら素材Ｗと頭部との境界をぼかすことが可能となる。部分かつら素材Ｗは、ユーザーの頭部に装着された状態で、自毛とともに散髪及び整髪され、部分かつらを形成する。
【０００５】
さらに、特開平７−２２９００９号公報（特許文献３）には、図５に示されるユーザーの生え際Ａ、天頂部Ｂ、分け目Ｃ及び裾Ｄのそれぞれに適合する各種の部分かつらが開示されている。
【先行技術文献】
【特許文献】
【０００６】
【特許文献１】特開２０１４−７４２６２号公報
【特許文献２】特開平８−１５８１３０号公報
【特許文献３】特開平７−２２９００９号公報
【発明の概要】
【発明が解決しようとする課題】
【０００７】
＜スタイルチェンジの問題＞
一般的な部分ウィッグは、ユーザーの頭部における装着部位、装着方向が定められている。図２（ａ）は、ユーザーの頭部６の各部位を示す。例えば、前部Ｆ用の部分ウィッグは、ユーザーの頭部における前部を覆うように、所定の向きで装着される。天頂部Ｔ用、後部Ｂ用、左側部ＬＳ又は右側部ＲＳ用の部分ウィッグも同様である。このため、一つの部分ウィッグにより、ユーザーの頭部における異なる部位を選択的にボリュームアップさせることができない。
【０００８】
仮に、一つの部分ウィッグによって、前部Ｆ、天頂部Ｔ、後部Ｂ、左側部ＬＳ又は右側部ＲＳなどの異なる部位の毛髪をボリュームアップさせることが可能であれば、ユーザーは、複数の髪型のスタイルチェンジを楽しむことができる。特に、部分ウィッグが、オーダーメイドではなくレディメイドである場合は、不特定多数のユーザーが所望する種々のヘアスタイルに対応することが可能となる。
【０００９】
＜外観の問題＞
上述した特許文献１のウィッグ用ベース１は、ベース本体１０の外縁に設けられた迷彩ネット２０及び線状部材４０によって、ユーザーの自毛と部分ウィッグとの境界をぼかすことができる。しかし、特許文献１のウィッグ用ベース１は、人工皮膚１に植設された毛髪を全体的にユーザーの自毛と混ぜ合せることができない。特に、部分ウィッグが、オーダーメイドではなくレディメイドである場合は、自毛の色、太さ、生え方、髪流れ、髪質等が異なる不特定多数のユーザーに使用されることになる。このため、部分ウィッグの毛髪がユーザーの自毛の状態に近いとは限らず、頭部に装着したときの外観が不自然に見える場合がある。仮に、部分ウィッグの毛髪を全体的にユーザーの自毛と混ぜ合せることができるならば、頭部に装着したときの外観はより自然に見えるようになる。
【００１０】
＜固定の問題＞
上述した特許文献１の図６には、ウィッグ用ベース１の大きさの「バリエーションＡ〜Ｅ」が示されている。「バリエーションＤ、Ｅ」のように、ウィッグ用ベース１が大きい場合は、多数の装着ピンを設けることによって、部分ウィッグをユーザーの頭部に安定して固定することが可能である。しかし、「バリエーションＡ〜Ｃ」のように、ウィッグ用ベース１が小型化する程、装着ピンの数が減少し、安定した固定ができなくなる。特に、部分ウィッグが、オーダーメイドではなくレディメイドである場合は、異なる不特定多数のユーザーに使用されることになる。ユーザーの自毛の状態によっては、少ない数の装着ピンに対応する部位に、固定に十分な量の自毛があるとは限らない。
【００１１】
＜目的＞
本発明の部分ウィッグ及びその使用方法は、上記問題点に鑑みてなされたものであり、下記の事項を目的とする。
第一の目的は、ユーザーの頭部における異なる部位をボリュームアップさせて、髪型のスタイルチェンジを楽しむことができるようにすることである。
第二の目的は、部分ウィッグの毛髪を全体的にユーザーの自毛と混ぜ合せて、頭部に装着したときの外観がより自然に見えるようにすることである。
第三の目的は、少ない数の装着ピンで安定した固定が行えるようにすることである。
【課題を解決するための手段】
【００１２】
（１）上記目的を達成するために、本発明の部分ウィッグは、ユーザーの自毛を部分的にボリュームアップするための部分ウィッグであって、ベース部材と、前記ベース部材に結合されたフレーム部材と、前記ベース部材に植設された毛髪とを含み、前記ベース部材は、前記ユーザーの頭部の一部を覆う面積のネット又は人工皮膚からなり、前記部分ウィッグの一端から他端に達する長手方向の幅を有するとともに、短手方向の幅が全体的又は部分的に異なる特殊形状の輪郭を有し、部分的な面積の相違により、長手方向の少なくとも一部に植設された前記毛髪の量が多く、前記フレーム部材は、単一の輪状又は複数の弧状の部材からなり、前記ベース部材に結合されることにより、前記部分ウィッグの外縁の全部又は部分を形成するとともに、前記ベース部材の特殊形状の輪郭との間に、前記ユーザーの自毛を引き出すための開口部を形成する構成としてある。
【００１３】
（２）好ましくは、上記（１）の部分ウィッグにおいて、前記ベース部材の長手方向における一端側及び他端側の面積が、中央の面積よりも広く、一端側及び他端側に植設された前記毛髪の量が、中央に植設された前記毛髪の量よりも多い構成にする。
【００１４】
（３）好ましくは、上記（１）の部分ウィッグにおいて、前記ベース部材の長手方向における一端側の面積が、他端側の面積よりも広く、一端側に植設された前記毛髪の量が、他端側に植設された前記毛髪の量よりも多い構成にする。
【００１５】
（４）好ましくは、上記（１）の部分ウィッグにおいて、前記ベース部材の長手方向における中央の面積が、一端側及び他端側の面積よりも広く、中央に植設された前記毛髪の量が、一端側及び他端側に植設された前記毛髪の量よりも多い構成にする。
【００１６】
（５）上記目的を達成するために、本発明の部分ウィッグの使用方法は、上記（１）〜（４）のいずれかに記載した部分ウィッグの使用方法であって、前記部分ウィッグをその外縁の方向に回転させることにより、前記ベース部材における植設された前記毛髪の量の多い部分を、前記ユーザーの頭部における前部、天頂部、後部、左側部又は右側部のうちの少なくとも一つに対応させるようにしてある。
【発明の効果】
【００１７】
本発明の部分ウィッグ及びその使用方法は、下記の技術的な効果を奏する。
第一に、ユーザーの頭部における異なる部位をボリュームアップさせることができるので、髪型のスタイルチェンジを楽しむことが可能である。
第二に、部分ウィッグの毛髪を全体的にユーザーの自毛と混ぜ合せることができるので、頭部に装着したときの外観がより自然に見えるようになる。
第三に、少ない数の装着ピンで安定した固定が行えるようになる。
【図面の簡単な説明】
【００１８】
【図１】図１（ａ）〜（ｄ）は、本発明の第一実施形態に係る部分ウィッグを示す。図１（ａ）は、第一実施形態に係る部分ウィッグの平面図であり、毛髪は省略されている。図１（ｂ）は、図１（ａ）の左側面図である。図１（ｃ）、（ｄ）は、第一実施形態に係る部分ウィッグの変更例を示す平面図であり、ベース部の形状が変更されている。
【図２】図２（ａ）は、ユーザーの頭部の各部位を示す平面図である。図２（ｂ）、（ｃ）は、第一実施形態に係る部分ウィッグの使用方法を示す平面図である。
【図３】図３（ａ）〜（ｄ）は、本発明の第二実施形態に係る部分ウィッグを示す。図３（ａ）は、第二実施形態に係る部分ウィッグの平面図であり、毛髪は省略されている。図３（ｂ）は、図３（ａ）の左側面図である。図３（ｃ）は、第二実施形態に係る部分ウィッグの変更例を示す平面図であり、ベース部の形状が変更されている。図３（ｄ）は、図３（ｃ）の左側面図である。
【図４】図４（ａ）、（ｂ）は、第二実施形態に係る部分ウィッグの使用方法を示す平面図である。
【図５】図５（ａ）〜（ｄ）は、本発明の第三実施形態に係る部分ウィッグ及びその使用方法を示す。図５（ａ）は、第三実施形態に係る部分ウィッグの平面図であり、毛髪は省略されている。図５（ｂ）は、図５（ａ）の左側面図である。図５（ｃ）、（ｄ）は、第三実施形態に係る部分ウィッグの使用方法を示す平面図である。
【図６】図６（ａ）〜（ｄ）は、本発明の第四実施形態に係る部分ウィッグ及びその使用方法を示す。図６（ａ）は、第四実施形態に係る部分ウィッグの平面図であり、毛髪は省略されている。図６（ｂ）は、図６（ａ）の左側面図である。図６（ｃ）、（ｄ）は、第四実施形態に係る部分ウィッグの使用方法を示す平面図である。
【発明を実施するための形態】
【００１９】
以下、本発明の部分ウィッグ及びその使用方法の実施形態について、図面を参照しつつ説明する。
【００２０】
＜第一実施形態＞
まず、本発明の部分ウィッグ及びその使用方法の第一実施形態について、図１及び図２を参照しつつ説明する。
【００２１】
＜＜構成＞＞
図１（ａ）、（ｂ）に示すように、本実施形態の部分ウィッグ１は、ベース部材１１と、ベース部材１１に結合された二つの弧状のフレーム部材１２と、ベース部材１１に均等な密度で植設された毛髪１３とを含む。
【００２２】
ベース部材１１は、ユーザーの頭部６（図２（ａ）を参照）の一部を覆う面積のネット又は人工皮膚からなる。ここで、本実施形態の部分ウィッグ１は、オーダーメイドではなくレディメイドである。このため、ベース部材１１は、一般的なユーザーの頭部６に合う湾曲形状を有する。
【００２３】
ベース部材１１を構成するネットの素材は、例えば、成型性及び耐熱性等に優れたナイロン、ポリエステル、アクリルなどの合成繊維が好ましい。但し、綿、麻、絹等の天然繊維を用いてネットを構成してもよい。ネットの色は、これに植設する毛髪１３の色と近似した黒色、茶色又は白色などにするとよい。これにより、ベース部材１１に結着した毛髪１３の結び目が目立たなくなる効果がある。一方、ベース部材１１を構成する人工皮膚には、例えば、ポリウレタンやシリコーン等の合成樹脂からなる肌色のフィルム又はシートを適用することができる。
【００２４】
ベース部材１１をネットで構成した場合は、部分ウィッグ１の通気性が良好となり、耐久性が向上する利点がある。一方、ベース部材１１を人工皮膚で構成した場合は、人間の頭皮の質感をリアルに再現することができ、見た目がより自然となる。
【００２５】
図１（ａ）に示すように、ベース部１１は、部分ウィッグ１の一端から他端に達する長手方向の幅ＬＷを有するとともに、短手方向の幅ＳＷが全体的に異なる特殊形状の輪郭を有する。本実施形態のベース部材１１は、その長手方向における一端側１１ａ及び他端側１１ｃの面積が、中央１１ｂの面積よりも広い。この構成により、ベース部材１１の一端側１１ａ及び他端側１１ｃに植設された毛髪１３の量は、中央１１ｂに植設された毛髪１３の量よりも多い。すなわち、部分ウィッグ１をその外縁の方向に回転させ、毛髪１３の量が多いベース部材１１の一端側１１ａ及び他端側１１ｃを、ユーザーの頭部６の任意の部位（図２（ａ）を参照）に対応させることで、当該部位の毛髪をボリュームアップすることができる。この点については、次の「使用方法」の項目で詳述する。なお、ベース部材１１の一端側１１ａ及び他端側１１ｃの裏面は、図示しない装着ピンの取り付け部位１１ｄとなっている。
【００２６】
フレーム部材１２は、左右一対の弧状の弾性部材からなる。フレーム部材１２は、容易に変形する柔軟性と、自らの形状を復元する弾性とを兼ね備えている。フレーム部材１２の素材は、特に限定されるものではない。例えば、フレーム部材１２は、レース編みで作られた紐の中に、弾性変形可能な合成樹脂製の線材を入れた構成としてもよい。また例えば、フレーム部材１２は、レース編みの紐を模した部分と、弾性変形可能な線材の部分とを、合成樹脂で一体成形した構成としてもよい。さらに、フレーム部材１２は、後述する開口部１４を形成することができるものであればよく、例えば、頭部の湾曲形状に応じて塑性変形する素材で構成してもよい。
【００２７】
フレーム部材１２は、ベース部材１１に結合されることにより、部分ウィッグ１の外縁を部分的に形成するとともに、ベース部材１１の特殊形状の輪郭との間に、ユーザーの自毛を引き出すための一対の開口部１４を形成する。
【００２８】
ここで、ベース部材１１とフレーム部材１２との結合体が、図１（ａ）に示すような略楕円形である場合の好ましい寸法について説明する。本実施形態の部分ウィッグ１は、その外縁の方向（図２（ｂ）、（ｃ）中の両矢印の方向を参照）に回転させて、ユーザーの任意の向きで使用するものである。このため、本実施形態の部分ウィッグ１自体に前後左右の区別はない。ここでは、説明の便宜上、ベース部材１１の長手方向を縦、短手方向を横と定義し、ベース部材１１とフレーム部材１２との結合体の好ましい縦横寸法を例示する。
【００２９】
まず、ベース部材１１とフレーム部材１２との結合体の最も小さい寸法は、縦８ｃｍ×横６ｃｍ程度が好ましい。この縦横寸法よりも小さくなると、部分ウィッグ１の製造が困難になると予想される。また、後述するように、本実施形態の部分ウィッグ１は、その外縁の方向に回転させることで、ユーザーの頭部６における任意の部位（例えば、図２（ａ）の前部Ｆ、後部Ｂ、左側部ＬＷ又は右側部ＲＷ）の毛髪をボリュームアップすることができるという効果を奏する。部分ウィッグ１が小さすぎると、ベース部材１１に植設された毛髪１３の量に差異が出にくくなり、また、部分ウィッグ１をその外縁の方向に回転させても、毛髪１３の量が多い部分の位置の変化が小さくなる。この結果、ユーザーの頭部６における任意の部位の毛髪をボリュームアップすることができる、という効果が得られなくなる。
【００３０】
次いで、ベース部材１１とフレーム部材１２との結合体の最も大きい寸法は、縦１２ｃｍ×横１０ｃｍ程度が好ましい。この縦横寸法よりも大きくなると、ベース部材１１のうちの面積の広い部分が大きくなりすぎてしまい、ユーザーの頭部６における特定の部位（例えば、図２（ａ）の前部Ｆ、後部Ｂ、左側部ＬＷ又は右側部ＲＷ）だけの毛髪をボリュームアップすることが難しくなる。つまり、ユーザーが望まない部位の毛髪もボリュームアップされてしまう。
【００３１】
最後に、部分ウィッグ１が日本人女性に向けた製品である場合、ベース部材１１とフレーム部材１２との結合体の最適寸法は、縦１２ｃｍ×横１０ｃｍ程度であると考える。日本人女性の平均的な頭の縦横寸法は、縦１８ｃｍ×横１０ｃｍ程度である。部分ウィッグ１の装着範囲を縦１８ｃｍ×横１０ｃｍ程度と仮定した場合、部分ウィッグ１の縦横寸法が縦１２ｃｍ×横１０ｃｍ程度であれば、ユーザーの頭部６における特定の部位だけの毛髪をボリュームアップすることが可能である。
【００３２】
毛髪１３は、人工毛又は人毛のいずれを用いてもよい。人工毛の素材としては、例えば、ポリエステル、ナイロン、アクリル又は塩化ビニル系の合成繊維が用いられる。毛髪１３の太さは、例えば、細い毛髪として約０．０３又は０．０４ｍｍ程度、太い毛髪として約０．０５〜０．１０ｍｍ程度のものが用いられる。また、毛髪１３の強度の指標としては、例えば、ベース部材１１に植設する前の直線状態のときの引っ張り強度で約０．８０Ｎ以上、ベース部材１１に植設した状態の引っ張り強度で約０．６０Ｎ以上のものが好ましい。
【００３３】
＜＜使用方法＞＞
次に、本実施形態の部分ウィッグ１の使用方法について、図２（ａ）〜（ｃ）を参照しつつ説明する。なお、以下の説明は、本実施形態の部分ウィッグ１の使用方法の例示であり、ユーザーは、部分ウィッグ１を任意の向きで頭部６に装着し、自分に合ったヘアスタイルを作ることが可能である。
【００３４】
図２（ａ）にユーザーの頭部６における前部Ｆ、天頂部Ｔ、後部Ｂ、左側部ＬＳ又は右側部ＲＳを示す。本実施形態の部分ウィッグ１は、例えば、前部Ｆ及び後部Ｂ、又は左側部ＬＳ及び右側部ＲＳの毛髪を選択的にボリュームアップさせることができる。
【００３５】
第一の使用方法として、ユーザーの頭部６における前部Ｆ及び後部Ｂの毛髪をボリュームアップさせる場合について、図２（ｂ）を参照しつつ説明する。
【００３６】
図２（ｂ）中の両矢印に示すように、部分ウィッグ１をその外縁の方向に回転させ、ベース部材１１の一端側１１ａ及び他端側１１ｃを、頭部６における前部Ｆ及び後部Ｂに対応させる。つまり、ベース部材１１における植設された毛髪１３の量の多い部分を、頭部６における前部Ｆ及び後部Ｂに対応させるのである。
【００３７】
次いで、ベース部材１１の一端側１１ａに設けられた図示しない装着ピン（図１（ａ）の符号１１ｄを参照）によって、頭部６における前部Ｆの自毛を挟持する。これにより、部分ウィッグ１が、図２（ｂ）に示す向きで頭部６に仮固定される。
【００３８】
この仮固定状態において、部分ウィッグ１の二つの開口部１４から頭部６における左側部ＬＳ及び右側部ＲＳの自毛をそれぞれ引き出す。そして、各開口部１４から引き出した自毛を、ベース部材１１に植設された毛髪１３と全体的に混ぜ合わせる。
【００３９】
その後、ベース部材１１の他端側１１ｃに設けられた図示しない装着ピンによって、頭部６における後部Ｂの自毛を挟持する。これにより、部分ウィッグ１が頭部６に固定される。最後に、ユーザーの好みどおりにヘアスタイルを整え、部分ウィッグ１の装着が完了する。なお、専門のヘアスタイリストが、自毛とともに部分ウィッグ１の毛髪２３をカットして、髪型をベストスタイルに調整してもよい。
【００４０】
次に、第二の使用方法として、ユーザーの頭部６における左側部ＬＳ及び右側部ＲＳをボリュームアップさせる場合について、図２（ｃ）を参照しつつ説明する。
【００４１】
図２（ｃ）中の両矢印に示すように、部分ウィッグ１をその外縁の方向に回転させ、ベース部材１１の一端側１１ａ及び他端側１１ｃを、頭部６における左側部ＬＳ及び右側部ＲＳに対応させる。つまり、ベース部材１１における植設された毛髪１３の量の多い部分を、ユーザーの頭部６における左側部ＬＳ及び右側部ＲＳに対応させるのである。
【００４２】
次いで、ベース部材１１の一端側１１ａに設けられた図示しない装着ピンによって、頭部６における左側部ＬＳの自毛を挟持する。これにより、部分ウィッグ１が、図２（ｃ）に示す向きで頭部６に仮固定される。
【００４３】
この仮固定状態において、部分ウィッグ１の二つの開口部１４から頭部６における前部Ｆ及び後部Ｂの自毛をそれぞれ引き出す。そして、各開口部１４から引き出した自毛を、ベース部材１１に植設された毛髪１３と全体的に混ぜ合わせる。
【００４４】
その後、ベース部材１１の他端側１１ｃに設けられた図示しない装着ピンによって、頭部６における右側部ＲＳの自毛を挟持する。これにより、部分ウィッグ１が頭部６に固定される。最後に、ユーザーの好みどおりに髪型を整え、部分ウィッグ１の装着が完了する。上記と同様に、専門のヘアスタイリストが、自毛とともに部分ウィッグ１の毛髪１３をカットして、髪型をベストスタイルに調整してもよい。
【００４５】
＜＜変更例＞＞
上述した第一実施形態に係る部分ウィッグ１は、図１（ａ）、（ｂ）に示す構成に限定されるものではない。例えば、ベース部材１１の形状は、図１（ａ）、（ｂ）の形状に限定されるものではなく、一端側１１ａ及び他端側１１ｃの面積が中央１１ｂよりも広くなるような特殊形状であれば、他の形状に変更してもよい。例えば、ベース部材１１は、図１（ｃ）、（ｄ）に示すような特殊形状であってもよい。また、第一実施形態では、二つの弧状のフレーム部材１２を用いた構成としたが、フレーム部材１２は、単一の輪状であってもよい。さらに、第一実施形態では、ベース部材１１に植設される毛髪１３の密度を均一としたが、ベース部材１１の一端側１１ａ及び他端側１１ｃに植設される毛髪１３の量が中央１１ｂよりも多くなるのであれば、毛髪１３の密度分布が異なる構成としてもよい。
【００４６】
また、上述した第一実施形態の部分ウィッグ１の使用方法は、理解を容易にするための例示である。実際には、第一実施形態の部分ウィッグ１は、自毛の状態や髪型の好みなど、不特定多数のユーザーの個別的な事情に応じて、ユーザーの頭部６に任意の向きで装着される。この結果、第一実施形態の部分ウィッグ１は、ユーザーの頭部６における任意の二箇所の毛髪を、選択的にボリュームアップすることができるのである。
【００４７】
＜第二実施形態＞
次に、本発明の部分ウィッグ及びその使用方法の第二実施形態について、図３及び図４を参照しつつ説明する。
【００４８】
＜＜構成＞＞
図３（ａ）、（ｂ）に示すように、本実施形態の部分ウィッグ２は、ベース部材２１と、ベース部材２１に結合された二つの弧状のフレーム部材２２と、ベース部材２１に均等な密度で植設された毛髪２３とを含む。これらベース部材２１、フレーム部材２２及び毛髪２３の素材については、上述した第一実施形態と同様であり、詳細な説明は省略する。
【００４９】
本実施形態のベース部材２１は、その長手方向における一端側２１ａの面積が、中央２１ｂ及び他端側２１ｃのそれぞれの面積よりも広い。この構成により、ベース部材２１の一端側２１ａに植設された毛髪２３の量が、中央２１ｂ及び他端側２１ｃのそれぞれに植設された毛髪２３の量よりも多い。すなわち、部分ウィッグ２をその外縁の方向に回転させ、毛髪２３の量が多いベース部材２１の一端側２１ａを、ユーザーの頭部６の任意の部位（図２（ａ）を参照）に対応させることで、当該部位の毛髪をボリュームアップすることができる。
【００５０】
フレーム部材２２は、ベース部材２１に結合されることにより、部分ウィッグ２の外縁を部分的に形成するとともに、ベース部材２１の特殊形状の輪郭との間に、ユーザーの自毛を引き出すための一対の開口部２４を形成する。本実施形態の開口部２４は、図１（ａ）に示す第一実施形態の開口部１４と比較して開口面積が大きく、より多くの自毛を引き出すことができる。ベース部材２１とフレーム部材２２との結合体の好ましい寸法は、第一実施形態と同様である。
【００５１】
＜＜使用方法＞＞
次に、本実施形態の部分ウィッグ２の使用方法について、図４（ａ）、（ｂ）を参照しつつ説明する。第一実施形態と同様に、以下の説明は、本実施形態の部分ウィッグ２の使用方法の例示であり、ユーザーは、部分ウィッグ２を任意の向きで頭部６に装着し、自分に合った髪型を作ることが可能である。
【００５２】
本実施形態の部分ウィッグ２は、例えば、図２（ａ）に示すユーザーの頭部６における前部Ｆ又は後部Ｂの毛髪を選択的にボリュームアップさせることができる。
【００５３】
第一の使用方法として、ユーザーの頭部６における前部Ｆの毛髪をボリュームアップさせる場合について、図４（ａ）を参照しつつ説明する。
【００５４】
図４（ａ）中の両矢印に示すように、部分ウィッグ２をその外縁の方向に回転させ、ベース部材２１の一端側２１ａを、頭部６における前部Ｆに対応させる。つまり、ベース部材２１における植設された毛髪２３の量の多い部分を、頭部６における前部Ｆに対応させるのである。
【００５５】
次いで、ベース部材２１の一端側２１ａに設けられた図示しない装着ピン（図３（ａ）の符号２１ｄを参照）によって、頭部６における前部Ｆの自毛を挟持する。これにより、部分ウィッグ２が、図４（ａ）に示す向きで頭部６に仮固定される。
【００５６】
この仮固定状態において、部分ウィッグ２の二つの開口部２４から頭部６における左側部ＬＳ及び右側部ＲＳの自毛をそれぞれ引き出す。そして、各開口部２４から引き出した自毛を、ベース部材２１に植設された毛髪２３と全体的に混ぜ合わせる。
【００５７】
その後、ベース部材２１の他端側２１ｃに設けられた図示しない装着ピンによって、頭部６における後部Ｂの自毛を挟持する。これにより、部分ウィッグ２が頭部６に固定される。最後に、ユーザーの好みどおりにヘアスタイルを整え、部分ウィッグ２の装着が完了する。第一実施形態と同様に、専門のヘアスタイリストが、自毛とともに部分ウィッグ２の毛髪２３をカットして、髪型をベストスタイルに調整してもよい。
【００５８】
次に、第二の使用方法として、ユーザーの頭部６における後部Ｂをボリュームアップさせる場合について、図４（ｂ）を参照しつつ説明する。
【００５９】
図４（ｂ）中の両矢印に示すように、部分ウィッグ２をその外縁の方向に回転させ、ベース部材２１の一端側２１ａを、頭部６における後部Ｂに対応させる。つまり、ベース部材２１における植設された毛髪２３の量の多い部分を、ユーザーの頭部６における後部Ｂに対応させるのである。
【００６０】
次いで、ベース部材２１の他端側２１ｃに設けられた図示しない装着ピンによって、頭部６における前部Ｆの自毛を挟持する。これにより、部分ウィッグ２が、図４（ｂ）に示す向きで頭部６に仮固定される。
【００６１】
この仮固定状態において、部分ウィッグ２の二つの開口部２４から頭部６における左側部ＬＳ及び右側部ＲＳの自毛をそれぞれ引き出す。そして、各開口部２４から引き出した自毛を、ベース部材２１に植設された毛髪２３と全体的に混ぜ合わせる。
【００６２】
その後、ベース部材２１の一端側２１ａに設けられた図示しない装着ピンによって、頭部６における後部Ｂの自毛を挟持する。これにより、部分ウィッグ２が頭部６に固定される。最後に、ユーザーの好みどおりにヘアスタイルを整え、部分ウィッグ２の装着が完了する。上記と同様に、専門のヘアスタイリストが、自毛とともに部分ウィッグ２の毛髪２３をカットして、髪型をベストスタイルに調整してもよい。
【００６３】
＜＜変更例＞＞
上述した第二実施形態に係る部分ウィッグ２は、図３（ａ）、（ｂ）に示す構成に限定されるものではない。例えば、ベース部材２１の形状は、図３（ａ）、（ｂ）の形状に限定されるものではなく、一端側２１ａの面積が中央２１ｂ及び他端側２１ｃのそれぞれよりも広くなるような特殊形状であれば、他の形状に変更してもよい。例えば、ベース部材２１は、図３（ｃ）、（ｄ）に示すような特殊形状であってもよい。また、第二実施形態では、二つの弧状のフレーム部材２２を用いた構成としたが、フレーム部材２２は、単一の輪状であってもよい。さらに、第二実施形態では、ベース部材２１に植設される毛髪２３の密度を均一としたが、ベース部材２１の一端側２１ａに植設される毛髪２３の量が中央２１ｂ及び他端側２１ｃのそれぞれよりも多くなるのであれば、毛髪２３の密度分布が異なる構成としてもよい。
【００６４】
また、上述した第二実施形態の部分ウィッグ２の使用方法は、理解を容易にするための例示である。実際には、第二実施形態の部分ウィッグ２は、自毛の状態や髪型の好みなど、不特定多数のユーザーの個別的な事情に応じて、ユーザーの頭部６に任意の向きで装着される。この結果、第二実施形態の部分ウィッグ２は、ユーザーの頭部６における任意の一箇所の毛髪を、選択的にボリュームアップすることができるのである。
【００６５】
＜第三実施形態＞
次に、本発明の部分ウィッグ及びその使用方法の第三実施形態について、図５を参照しつつ説明する。
【００６６】
＜＜構成＞＞
図５（ａ）、（ｂ）に示すように、本実施形態の部分ウィッグ３は、ベース部材３１と、ベース部材３１に結合された二つの弧状のフレーム部材３２と、ベース部材３１に均等な密度で植設された毛髪３３とを含む。これらベース部材３１、フレーム部材３２及び毛髪３３の素材については、上述した第一実施形態と同様であり、詳細な説明は省略する。
【００６７】
本実施形態のベース部材３１は、その長手方向における中央３１ｂの面積が、一端側３１ａ及び他端側３１ｃのそれぞれの面積よりも広い。この構成により、ベース部材３１の中央３１ｂに植設された毛髪３３の量が、一端側３１ａ及び他端側３１ｃのそれぞれに植設された毛髪３３の量よりも多い。この結果、本実施形態の部分ウィッグ３は、どのような向きであっても、ユーザーの頭部６における天頂部Ｔの毛髪をボリュームアップすることができる。さらに、部分ウィッグ３をその外縁の方向に回転させ、ベース部材３１の一端側３１ａ及び他端側３１ｃを、ユーザーの頭部６における前部Ｆ及び後部Ｂ、又は左側部ＬＳ及び右側部ＲＳに対応させることで、天頂部Ｔ以外の部位の毛髪をボリュームアップすることができる。
【００６８】
フレーム部材３２は、ベース部材３１に結合されることにより、部分ウィッグ３の外縁を部分的に形成するとともに、ベース部材３１の特殊形状の輪郭との間に、ユーザーの自毛を引き出すための一対の開口部３４を形成する。本実施形態の開口部３４は、図１（ａ）、図３（ａ）に示す第一及び第二実施形態の開口部１４、２４と比較して開口面積が大きく、より多くの自毛を引き出すことができる。ベース部材３１とフレーム部材３２との結合体の好ましい寸法は、第一実施形態と同様である。
【００６９】
＜＜使用方法＞＞
次に、本実施形態の部分ウィッグ３の使用方法について、図５（ｃ）、（ｄ）を参照しつつ説明する。第一及び第二実施形態と同様に、以下の説明は、本実施形態の部分ウィッグ３の使用方法の例示であり、ユーザーは、部分ウィッグ３を任意の向きで頭部６に装着し、自分に合った髪型を作ることが可能である。
【００７０】
本実施形態の部分ウィッグ３は、どのような向きであっても、図２（ａ）に示すユーザーの頭部６における天頂部Ｔの毛髪をボリュームアップさせ、さらに、ユーザーの頭部６における前部Ｆ及び後部Ｂ、又は左側部ＬＳ及び右側部ＲＳの毛髪を選択的にボリュームアップさせることができる。
【００７１】
第一の使用方法として、ユーザーの頭部６における天頂部Ｔ、前部Ｆ及び後部Ｂの毛髪をボリュームアップさせる場合について、図５（ｃ）を参照しつつ説明する。
【００７２】
図５（ｃ）中の両矢印に示すように、部分ウィッグ３をその外縁の方向に回転させ、ベース部材３１の一端側３１ａ及び他端側３１ｃを、頭部６における前部Ｆ及び後部Ｂに対応させる。
【００７３】
次いで、ベース部材３１の一端側３１ａに設けられた図示しない装着ピン（図５（ａ）の符号３１ｄを参照）によって、頭部６における前部Ｆの自毛を挟持する。これにより、部分ウィッグ３が、図５（ｃ）に示す向きで頭部６に仮固定される。
【００７４】
この仮固定状態において、部分ウィッグ３の二つの開口部３４から頭部６における左側部ＬＳ及び右側部ＲＳの自毛をそれぞれ引き出す。そして、各開口部３４から引き出した自毛を、ベース部材３１に植設された毛髪３３と全体的に混ぜ合わせる。
【００７５】
その後、ベース部材３１の他端側３１ｃに設けられた図示しない装着ピンによって、頭部６における後部Ｂの自毛を挟持する。これにより、部分ウィッグ３が頭部６に固定される。最後に、ユーザーの好みどおりにヘアスタイルを整え、部分ウィッグ３の装着が完了する。第一及び第二実施形態と同様に、専門のヘアスタイリストが、自毛とともに部分ウィッグ３の毛髪３３をカットして、髪型をベストスタイルに調整してもよい。
【００７６】
次に、第二の使用方法として、ユーザーの頭部６における天頂部Ｔ、左側部ＬＳ及び右側部ＲＳをボリュームアップさせる場合について、図５（ｄ）を参照しつつ説明する。
【００７７】
図５（ｄ）中の両矢印に示すように、部分ウィッグ３をその外縁の方向に回転させ、ベース部材３１の一端側３１ａ及び他端側３１ｃを、頭部６における左側部ＬＳ及び右側部ＲＳに対応させる。
【００７８】
次いで、ベース部材３１の一端側３１ａに設けられた図示しない装着ピンによって、頭部６における左側部ＬＳの自毛を挟持する。これにより、部分ウィッグ３が、図５（ｄ）に示す向きで頭部６に仮固定される。
【００７９】
この仮固定状態において、部分ウィッグ３の二つの開口部３４から頭部６における前部Ｆ及び後部Ｂの自毛をそれぞれ引き出す。そして、各開口部３４から引き出した自毛を、ベース部材３１に植設された毛髪３３と全体的に混ぜ合わせる。
【００８０】
その後、ベース部材３１の他端側３１ｃに設けられた図示しない装着ピンによって、頭部６における右側部ＲＳの自毛を挟持する。これにより、部分ウィッグ３が頭部６に固定される。最後に、ユーザーの好みどおりにヘアスタイルを整え、部分ウィッグ３の装着が完了する。上記と同様に、専門のヘアスタイリストが、自毛とともに部分ウィッグ３の毛髪３３をカットして、髪型をベストスタイルに調整してもよい。
【００８１】
＜＜変更例＞＞
上述した第三実施形態に係る部分ウィッグ３は、図５（ａ）、（ｂ）に示す構成に限定されるものではない。例えば、ベース部材３１の形状は、図５（ａ）、（ｂ）の形状に限定されるものではなく、中央３１ｂの面積が一端側３１ａ及び他端側３１ｃのそれぞれよりも広くなるような特殊形状であれば、他の形状に変更してもよい。また、第三実施形態では、二つの弧状のフレーム部材３２を用いた構成としたが、フレーム部材３２は、単一の輪状であってもよい。さらに、第三実施形態では、ベース部材３１に植設される毛髪３３の密度を均一としたが、ベース部材３１の中央３１ｂに植設される毛髪３３の量が一端側３１ａ及び他端側３１ｃのそれぞれよりも多くなるのであれば、毛髪３３の密度分布が異なる構成としてもよい。
【００８２】
また、上述した第三実施形態の部分ウィッグ３の使用方法は、理解を容易にするための例示である。実際には、第三実施形態の部分ウィッグ３は、自毛の状態や髪型の好みなど、不特定多数のユーザーの個別的な事情に応じて、ユーザーの頭部６に任意の向きで装着される。この結果、第三実施形態の部分ウィッグ３は、ユーザーの頭部６における天頂部Ｔに加えて、任意の二箇所の毛髪を、選択的にボリュームアップすることができるのである。
【００８３】
＜第四実施形態＞
次に、本発明の部分ウィッグ及びその使用方法の第四実施形態について、図６を参照しつつ説明する。
【００８４】
＜＜構成＞＞
図６（ａ）、（ｂ）に示すように、本実施形態の部分ウィッグ４は、ベース部材４１と、ベース部材４１に結合された三つの弧状のフレーム部材４２と、ベース部材４１に均等な密度で植設された毛髪４３とを含む。これらベース部材４１、フレーム部材４２及び毛髪４３の素材については、上述した第一実施形態と同様であり、詳細な説明は省略する。
【００８５】
本実施形態のベース部材４１は、その長手方向における他端側４１ｃが二つに分岐しており、その全体形状が逆Ｙ字形となっている。二つに分岐した他端側４１ｃの総面積は、一端側４１ａ及び中央４１ｂのそれぞれの面積よりも広い。この構成により、ベース部材４１の他端側４１ｃに植設された毛髪４３の量が、一端側４１ａ及び中央４１ｂのそれぞれに植設された毛髪４３の量よりも多い。すなわち、部分ウィッグ４をその外縁の方向に回転させ、毛髪４３の量が多いベース部材４１の他端側４１ｃを、ユーザーの頭部６の任意の部位（図２（ａ）を参照）に対応させることで、当該部位の毛髪をボリュームアップすることができる。ベース部材４１の一端側４１ａの裏面には、図示しない装着ピンが一つ取り付けられ、二つに分岐した他端側４１ｃの裏面にも、それぞれ図示しない装着ピンが一つずつ取り付けられる（図６（ａ）の符号４１ｄを参照）。
【００８６】
三つの弧状のフレーム部材４２は、逆Ｙ字形のベース部材４１に結合されることにより、部分ウィッグ４の外縁を部分的に形成するとともに、ベース部材４１の特殊形状の輪郭との間に、ユーザーの自毛を引き出すための三つの開口部４４を形成する。ベース部材４１の周囲三か所の開口部４４から自毛が引き出されることで、部分ウィッグ４は、ユーザーの頭部６に極めて安定した状態で固定される。ベース部材４１とフレーム部材４２との結合体の好ましい寸法は、第一実施形態と同様である。
【００８７】
＜＜使用方法＞＞
次に、本実施形態の部分ウィッグ４の使用方法について、図６（ｃ）、（ｄ）を参照しつつ説明する。第一、第二及び第三実施形態と同様に、以下の説明は、本実施形態の部分ウィッグ４の使用方法の例示であり、ユーザーは、部分ウィッグ４を任意の向きで頭部６に装着し、自分に合った髪型を作ることが可能である。
【００８８】
本実施形態の部分ウィッグ４は、例えば、図２（ａ）に示すユーザーの頭部６における後部Ｂ又は前部Ｆの毛髪を選択的にボリュームアップさせることができる。
【００８９】
第一の使用方法として、ユーザーの頭部６における後部Ｂの毛髪をボリュームアップさせる場合について、図６（ｃ）を参照しつつ説明する。
【００９０】
図６（ｃ）中の両矢印に示すように、部分ウィッグ４をその外縁の方向に回転させ、ベース部材４１の他端側４１ｃを、頭部６における後部Ｂに対応させる。つまり、ベース部材４１における植設された毛髪４３の量の多い部分を、頭部６における後部Ｂに対応させるのである。
【００９１】
次いで、ベース部材４１の一端側４１ａに設けられた図示しない装着ピン（図６（ａ）の符号４１ｄを参照）によって、頭部６における前部Ｆの自毛を挟持する。これにより、部分ウィッグ４が、図６（ｃ）に示す向きで頭部６に仮固定される。
【００９２】
この仮固定状態において、部分ウィッグ４の三つの開口部４４から頭部６における左側部ＬＳ、右側部ＲＳ及び後部Ｂの自毛をそれぞれ引き出す。そして、各開口部４４から引き出した自毛を、ベース部材４１に植設された毛髪４３と全体的に混ぜ合わせる。
【００９３】
その後、ベース部材４１の二つに分岐した他端側４１ｃのそれぞれに設けられた図示しない装着ピンによって、頭部６における後部Ｂの自毛を挟持する。これにより、部分ウィッグ４が頭部６に固定される。最後に、ユーザーの好みどおりにヘアスタイルを整え、部分ウィッグ４の装着が完了する。第一実施形態と同様に、専門のヘアスタイリストが、自毛とともに部分ウィッグ４の毛髪４３をカットして、髪型をベストスタイルに調整してもよい。
【００９４】
次に、第二の使用方法として、ユーザーの頭部６における前部Ｆをボリュームアップさせる場合について、図６（ｄ）を参照しつつ説明する。
【００９５】
図６（ｄ）中の両矢印に示すように、部分ウィッグ４をその外縁の方向に回転させ、ベース部材４１の他端側４１ｃを、頭部６における前部Ｆに対応させる。つまり、ベース部材４１における植設された毛髪４３の量の多い部分を、ユーザーの頭部６における前部Ｆに対応させるのである。
【００９６】
次いで、ベース部材４１の二つに分岐した他端側４１ｃのそれぞれに設けられた図示しない装着ピンによって、頭部６における前部Ｆの自毛を挟持する。これにより、部分ウィッグ４が、図６（ｄ）に示す向きで頭部６に仮固定される。
【００９７】
この仮固定状態において、部分ウィッグ４の三つの開口部４４から頭部６における左側部ＬＳ、右側部ＲＳ及び前部Ｆの自毛をそれぞれ引き出す。そして、各開口部４４から引き出した自毛を、ベース部材４１に植設された毛髪４３と全体的に混ぜ合わせる。
【００９８】
その後、ベース部材４１の一端側４１ａに設けられた図示しない装着ピンによって、頭部６における後部Ｂの自毛を挟持する。これにより、部分ウィッグ４が頭部６に固定される。最後に、ユーザーの好みどおりにヘアスタイルを整え、部分ウィッグ４の装着が完了する。上記と同様に、専門のヘアスタイリストが、自毛とともに部分ウィッグ４の毛髪４３をカットして、髪型をベストスタイルに調整してもよい。
【００９９】
＜＜変更例＞＞
上述した第四実施形態に係る部分ウィッグ４は、図６（ａ）、（ｂ）に示す構成に限定されるものではない。例えば、ベース部材４１の形状は、図６（ａ）、（ｂ）の形状に限定されるものではなく、二つに分岐した他端側４１ｃの総面積が一端側４１ａ及び中央４１ｂのそれぞれよりも広くなるような特殊形状であれば、他の形状に変更してもよい。また、第二実施形態では、ベース部材４１に植設される毛髪４３の密度を均一としたが、ベース部材４１の他端側４１ｃに植設される毛髪４３の総量が一端側４１ａ及び中央４１ｂのそれぞれよりも多くなるのであれば、毛髪４３の密度分布が異なる構成としてもよい。
【０１００】
また、上述した第四実施形態の部分ウィッグ４の使用方法は、理解を容易にするための例示である。実際には、第四実施形態の部分ウィッグ４は、自毛の状態や髪型の好みなど、不特定多数のユーザーの個別的な事情に応じて、ユーザーの頭部６に任意の向きで装着される。この結果、第四実施形態の部分ウィッグ４は、ユーザーの頭部６における任意の一箇所の毛髪を、選択的にボリュームアップすることができるのである。
【０１０１】
＜作用効果＞
上述した第一、第二、第三及び第四実施形態に係る部分ウィッグは、ユーザーの頭部に任意の向きで装着することにより、頭部における異なる部位の毛髪をボリュームアップさせて、髪型のスタイルチェンジを楽しむことができる。特に、本実施形態の部分ウィッグが、オーダーメイドではなくレディメイドである場合は、不特定多数のユーザーが所望する種々のヘアスタイルに対応することが可能となる。
【０１０２】
また、第一、第二、第三及び第四実施形態に係る部分ウィッグは、ベース部材に植設された毛髪を、開口部から引き出された自毛と全体的に混ぜ合わせることができるので、ユーザーの頭部に装着したときの外観がより自然に見えるようになる。特に、本実施形態の部分ウィッグが、オーダーメイドではなくレディメイドである場合は、自毛の色、太さ、生え方、髪流れ、髪質等が異なる不特定多数のユーザーに使用されることになる。このような場合でも、本実施形態の部分ウィッグによれば、ベース部材に植設された毛髪を全体的にユーザーの自毛と混ぜ合せることができ、頭部に装着したときの外観はより自然に見えるようになる。
【０１０３】
さらに、第一、第二、第三及び第四実施形態に係る部分ウィッグは、ベース部材に植設された毛髪を、開口部から引き出す構成となっているので、少ない数の装着ピンで安定した固定が行える。特に、本実施形態の部分ウィッグが、オーダーメイドではなくレディメイドである場合は、少ない数の装着ピン対応する部位に、固定に十分な量の自毛がない場合でも、開口部から引き出すことで安定した固定が行える。
【符号の説明】
【０１０４】
１、２、３、４  部分ウィッグ
１１、２１、３１、４１  ベース部材
１１ａ、２１ａ、３１ａ、４１ａ  一端側
１１ｂ、２１ｂ、３１ｃ、４１ｄ  中央
１１ｃ、２１ｃ、３１ｃ、４１ｃ  他端側
１１ｄ、２１ｄ、３１ｄ、４１ｄ  装着ピンの取り付け部位
１２、２２、３２、４２  フレーム部材
１３、２３、３３、４３  毛髪
１４、２４、３４、４４  開口部
６  ユーザーの頭部
ＬＷ  長手方向の幅
ＳＷ１、ＳＷ２  短手方向の幅
Ｆ  前部
Ｔ  天頂部
Ｂ  後部
ＬＳ  左側部
ＲＳ  右側部
【図１】
2018003213.tif 000003
【図２】
2018003213.tif 000004
【図３】
2018003213.tif 000005
【図４】
2018003213.tif 000006
【図５】
2018003213.tif 000007
【図６】
2018003213.tif 000008